(57)【特許請求の範囲】
【請求項１】
エスカレーターまたはマンコンベアの欄干本体に巻き付けられた無端状の手すりベルトの走行を案内する手すりベルト案内装置において、
前記欄干本体の外縁部に沿って取り付けられ、手すりベルトの走行を案内する手すり案内デッキと、
前後両端部にそれぞれピン連結される連結部を有するリンク部材と、前記リンク部材の両側面側に軸の両端部が突き出るように回転自在に軸支されるコロ軸と、前記コロ軸の突き出た両端部にそれぞれ取り付けられ、走行する手すりベルトの裏面に転がり接触する対をなす２つのコロと、からなるコロユニットを一単位として、所要数のコロユニットのリンク部材を直列に次々とピン連結しチェーンのようになしたコロ列と、
前記コロ列の一端部を前記手すり案内デッキに固定するとともに、他端部を引き込みながら該手すり案内デッキの曲がりに倣わせて該コロ列を密着させるための固定手段と、
を具備することを特徴とする手すりベルト案内装置。
【請求項２】
前記手すり案内デッキは、長さ方向に延び前記コロ列を取り付けるための凸形状のコロ列取付部と、前記コロ列取付部と凹凸が反対の凹形状をなし、当該コロ列取付部の両側でコロ軸端部のコロを各々に受容する一対の凹部と、を有することを特徴とする請求項１に記載の手すりベルト案内装置。
【請求項３】
前記固定手段は、前記コロ列の一端側の端末コロユニットに連結され、該コロ列の一端側を手すり案内デッキに固定するための第１の固定部と、前記コロ列の他端側の端末コロユニットに連結され、当該コロ列を他端部側に引張する力を発生する引込み機構を有する第２の固定部と、を有し、前記第２固定部は、前記手すり案内デッキに固定される固定ブロックと、前記固定ブロックに挿通され雄ねじ部を有するシャフトと、前記雄ねじ部に螺合するダブルナットと、からなり、前記ダブルナットが前記引き込み機構をなすことを特徴とする請求項１に記載の手すりベルト案内装置。
【請求項４】
所定の曲率を有する欄干本体端部では、前記リンク部材には前記手すり案内デッキのリンク部材取付部に当接する突起部が形成され、この突起部は隣合うリンク部材同士をピン連結するピン軸線の直下位置に形成されていることを特徴とする請求項３に記載の手すりベルト案内装置。
【請求項５】
前記リンク部材載置部とリンク部材の間には、振動を吸収する材料からなる制振部材を介在させたことを特徴とする請求項１乃至４のいずれかの項に記載の手すりベルト案内装置。
【請求項６】
前記手すり案内デッキの凹部は、コロと雨水等が接触することなく雨水等を流す樋として機能するのに十分な深さを有することを特徴とする請求項２に記載の手すりベルト案内装置。
【発明の詳細な説明】
【０００１】
【発明の属する技術分野】
本発明は、エスカレーターあるいはマンコンベアの手すりベルト案内装置に関する。
【０００２】
【従来の技術】
図７は、エスカレーターの欄干に設けられる従来の手すりベルトの案内構造の断面を示す図である。図７において、参照符号２は、欄干本体を構成するガラスパネルを示し、４が手すりベルトを示す。ガラスパネルの外縁部に沿って手すり案内デッキ６が取り付けられ、手すりベルト４は手すりデッキ６によって案内され、エレベーターの踏段と同期して同じ方向に同速度で走行するようになっている。手すり案内デッキ６の両側には案内部７、７が張り出すように形成されており、この手すり案内デッキ６の案内部７、７には、手すりベルトの断面Ｕ字形に湾曲した部分が摺動可能に係合するようになっている。
【０００３】
手すり案内デッキ６の内部中央には、手すりベルト４と手すり案内デッキ６の間に生じる摩擦を低減するために、コロ８が所定の間隔で配設されている。手すりベルト４が走行している状態では、手すりベルト４の下面がコロ８に転がり接触しながら走行していくので、手すりベルト４の磨耗を少なくして手すりベルト４の寿命を長く保つことができる。
【０００４】
図８は、コロ８が取り付けられた手すり案内デッキ６を示し、図８（ａ）は平面図、図８（ｂ）は側面図である。コロ８は、保持フレーム９に回転自在に保持されており、手すり案内デッキ６に取り付けるときは、ボルト、ナットを用いて保持フレーム９を個々に固定している。
【０００５】
【発明が解決しようとする課題】
しかしながら、従来のエスカレーターでは、コロ８を手すり案内デッキ６に取り付けるには、コロ８を受ける窪み１１をガラスパネル２の取付箇所に個々に形成するとともに、それぞれ取付箇所にコロ８を取り付けてある保持フレーム９を１つ１つボルト、ナットで固定しなければならず、取付作業に多大な時間がかかっている。
【０００６】
また、コロ８の取付位置は、手すり案内デッキ６の幅方向の中央部に１個としていたため、当たり具合によっては手すりベルト４との点接触となり、手すりベルト４を傷めることがあり、そうしないために、ころ８の当たりを調整する必要があった。
【０００７】
さらに、手すりベルト４と手すり案内デッキ６の隙間から侵入した雨水等がコロ８に直接かかり、コロ８が吸水して膨張し、走行抵抗が大きくなるという問題もあった。
【０００８】
そこで、本発明の目的は、前記従来技術の有する問題点を解消し、コロをユニット化して複数のコロを一度に簡便に取り付けることを可能とするエスカレーターの手すりベルト案内装置を提供することにある。
【０００９】
また、本発明の他の目的は、手すりベルトに対するコロの当たりが安定して、手すりベルトの寿命を大幅に伸ばし、さらに雨水等がコロに直接かからないようにしたエスカレーターの手すりベルト案内装置を提供することにある。
【００１０】
【課題を解決するための手段】
前記の目的を達成するために、請求項１に係る発明は、エスカレーターまたはマンコンベアの欄干本体に巻き付けられた無端状の手すりベルトの走行を案内する手すりベルト案内装置において、前記欄干本体の外縁部に沿って取り付けられ、手すりベルトの走行を案内する手すり案内デッキと、前後両端部にそれぞれピン連結される連結部を有するリンク部材と、前記リンク部材の両側面側に軸の両端部が突き出るように回転自在に軸支されるコロ軸と、前記コロ軸の突き出た両端部にそれぞれ取り付けられ、走行する手すりベルトの裏面に転がり接触する対をなす２つのコロと、からなるコロユニットを一単位として、所要数のコロユニットのリンク部材を直列に次々とピン連結しチェーンのようになしたコロ列と、
前記コロ列の一端部を前記手すり案内デッキに固定するとともに、他端部を引き込みながら該手すり案内デッキの曲がりに倣わせて該コロ列を密着させるための固定手段と、を具備することを特徴とするものである。
【００１１】
この請求項１の発明によれば、次々とコロユニットをピンで連結していくことで、任意の長さのコロ列にすることができ、多数のコロを有するコロ列として一度に手すり案内デッキに簡単に取り付けることができ、また、いかなる長さにも、直線部、曲率部を問わず簡単に対応可能である。
【００１２】
また、請求項２に係る発明は、請求項１の発明において、前記手すり案内デッキは、長さ方向に延び前記コロ列を取り付けるための凸形状のコロ列取付部と、前記コロ列取付部と凹凸が反対の凹形状をなし、当該コロ列取付部の両側でコロ軸端部のコロを各々に受容する一対の凹部と、を有することを特徴とするものである。
【００１３】
この請求項２の発明によれば、一本のコロ軸の両端部にそれぞれコロを取り付けることができ、手すりベルトに均等にコロが当たる安定した構造となり、偏荷重等による偏磨耗を防止することができる。
【００１４】
さらに、請求項３に係る発明は、請求項１の発明において、前記固定手段は、前記コロ列の一端側の端末コロユニットに連結され、該コロ列の一端側を手すり案内デッキに固定するための第１の固定部と、前記コロ列の他端側の端末コロユニットに連結され、当該コロ列を他端部側に引張する力を発生する引込み機構を有する第２の固定部と、を有し、前記第２固定部は、前記手すり案内デッキに固定される固定ブロックと、前記固定ブロックに挿通され雄ねじ部を有するシャフトと、前記雄ねじ部に螺合するダブルナットと、からなり、前記ダブルナットが前記引き込み機構をなすことを特徴とする。
【００１５】
この請求項３の発明によれば、コロ列を仮付けしたから、引き込めるので、最短距離で固定可能であり、取付後の緩みやずれをなくすことができる。
【００１６】
さらにまた、請求項４に係る発明は、請求項３の発明において、所定の曲率を有する欄干本体端部では、前記リンク部材には前記手すり案内デッキのリンク部材取付部に当接する突起部が形成され、この突起部は隣合うリンク部材同士をピン連結するピン軸線の直下位置に形成されたことを特徴とするものである。
【００１７】
この請求項４の発明によれば、突起を支点にしてコロユニットがが手すり案内デッキの曲率に合わせて曲がるので、スムーズに密着させることができる。
【００１８】
請求項５に係る発明は、請求項１乃至４のいずれかの発明において、前記リンク部材載置部とリンク部材の間には、振動を吸収する材料からなる制振部材を介在させたことを特徴とするものである。
【００１９】
この請求項５の発明によれば、手すりベルトが走行するときに生じる振動は制振材によって吸収されるので、手すりベルトの走行中の振動、騒音を低減することができる。
【００２０】
請求項６に係る発明は、請求項２の発明において、前記手すり案内デッキの凹部は、コロと雨水等が接触することなく雨水等を流す樋として機能するのに十分にな深さを有することを特徴とするものである。
【００２１】
この請求項６の発明によれば、手すり案内デッキの凹部は、手すりベルトと手すり案内デッキの間から侵入した雨水等を排出する樋として機能するため、コロに雨水が直接かかるのを防止することができる。
【００２２】
【発明の実施の形態】
以下、本発明による手すりベルト案内装置の一実施形態について、添付の図面を参照しながら説明する。
【００２３】
第１実施形態
図１は、本発明の第１の実施形態に手すりベルト案内装置が適用されるエスカレーターの欄干を示す図である。参照符号２は、欄干の本体部を構成するガラスパネルを示す。４は無端ベルト状の手すりベルトである。参照符号６は、ガラスパネル２の外縁部に沿って設けられた手すり案内デッキである。この手すり案内デッキ６は、ガラスパネル２の外縁部に沿ってエンドレスで延びるようなっている。
【００２４】
本実施形態では、手すりベルト案内装置は、図２に示されるように、手すりベルト４の往路と復路の折返し部にあたり、所定の曲率を有する欄干端部の曲率部１２に取り付けられ、この手すりベルト６の円弧状の移動経路を案内するものである。
【００２５】
欄干端部の曲率部１２にあっては、手すり案内デッキ６は同じ曲率で湾曲し、この手すり案内デッキ６の湾曲した部分に沿って、後述するコロユニットを連結してチェーンのようにしたコロ列１４が取り付けられている。
【００２６】
そこで、図３にコロ列１４を詳細に示す。１５は、コロを示し、１６は、コロ軸である。コロ軸１６は、その両端部が突き出るようにリンク部材１８によって支持されており、このコロ軸１６の両端部には図示しない軸受を介してコロ１５が回転自在に軸着されている。この場合、一本のコロ軸１６について、二つのコロ１５が対をなすようになっている。
【００２７】
１つのリンク部材１８にコロ軸１６を介してコロ１５、１５を取り付けたものが、コロ列の一単位のコロユニットを構成している。個々のリンク部材１８の一端側には、ピン穴を有し二又状の連結部１８ａが形成され、他端側の連結部１８ｂは二又状の連結部１８ａの間にちょうど嵌り合う厚さを有しているとともに、連結部１８ａと同じ径のピン穴を有している。したがって、一のリンク部材１８の連結部１８ａと別のリンク部材１８の連結部１８ｂとをピン穴の芯が出るように組み合わせてピン１９を挿入し、ピン抜け止め用のスナップリング等をピン１９の端部に嵌めることで、コロユニット同士を簡単に連結することができ、次々とコロユニットをピン１９で連結していくことで、任意の長さのコロ列１４にすることができる。また、ピン抜け止め用のスナップリング等を取り外しピン１９を抜くことで、コロ列１４から任意のコロユニットを簡単に取り外すことができる。
【００２８】
このようなコロ列１４の一端末のコロユニット１８には、第１の固定部２０がピン１９を介して連結される。この第１固定部２０は、一体のブロック状のもので、ボルト等を用いて締結固定される。これに対して、コロ列１４の他端末のコロユニット１８には、第２の固定部２２がピン１９を介して連結されている。この実施形態では、第２固定部２２は、ボルトあるいはクランプ手段等を用いて締結固定される固定ブロック部２３と、一端部に雄ねじ部を有するねじシャフト２４と、このシャフト２４の他端部に取り付けられるフック部２５を有しており、フック部２５は、コロ列末端のコロユニットのピン１９と着脱自在に係合するようになっている。シャフト２４は、その雄ねじ部を有する末端部が固定ブロック部２３から突き出るように挿通され、この雄ねじ部には、ダブルナット２６ａ、２６ｂが螺合するようになっている。このダブルナット２６ａ、２６ｂは、コロ列を引張する力を発生する引き込み機構を構成している。
【００２９】
次に、図４は、図１におけるIV−IV断面を示す図である。手すり案内デッキ６の両側には案内部７が張り出すように形成されており、この案内部７には、手すりベルト４の断面Ｕ字形に湾曲した部分が摺動可能に係合するようになっている。
【００３０】
手すり案内デッキ６は、コロ列１４を敷設するための凸形状のコロ列取付部３０と、このコロ列取付部３０の両側に連続し、コロ１５をそれぞれ受容する凹部３２ａ、３２ｂを有し、これらのコロ取付部３０と凹部３２ａ、３２ｂは手すり案内デッキ６の長さ方向に延びている。
【００３１】
コロ列取付部３０は、コロ列側では凸であるが、裏側では凹になり、ちょうど欄干本体のガラスパネル２の外縁部が嵌合するようになっている。コロ列取付部３０にコロ列１４を取り付けた状態では、コロ軸１６の両端部のコロ１５は、手すりベルト２の裏面に転がり接触し、これにより、手すりベルト２と手すり案内デッキ６の間の摩擦係数を軽減させている。さらに、凹部３２ａ、３２ｂの深さは、コロ１５と凹部３２ａ、３２ｂの底面との間に所定の隙間があくように設定されており、この凹部３２ａ、３２ｂを水等を流す樋部として機能させるように構成されている。
【００３２】
次に、図２を参照しながら、本実施例による手すりベルト案内装置を欄干端部１２に取り付ける場合を例に説明する。
【００３３】
図２に示すように、手すり案内デッキ６については、欄干端部の曲率部１２の曲率に対応させて、予め曲げておいたものが用いられ、これを欄干端部の曲率部１２に固定しておく。
【００３４】
コロ列１４については、上述したように、コロユニット同士を直列にピン１９で連結し、手すり案内デッキ６に掛け渡すのに十分な長さに連結しておき、そのコロ列の一方の端末のコロユニットには、第１固定部２０を連結しておき、他方の端末のコロユニットには、第２固定部のフック付きのシャフト２４をピン１９を介して連結しておく。このように、所要数のコロユニットをピン１９を用いて連結することで、予め、必要な長さのコロ列１４を準備することができる。
【００３５】
次いで、コロ列１４の一方の第１固定部２０を手すり案内デッキ６にボルト等の締結により取り付ける。そして、第２固定部２２の固定ブロック２３の方は、手すり案内デッキ４の反対側の位置に固定しておく。
【００３６】
しかる後、図２に示すように、コロ列１４を手すり案内デッキ６に巻き付けるとともに、末端のフック付きシャフト２４を第２固定部２２の固定ブロック２３に挿通し、この固定ブロック２３から突き出た雄ねじ部にダブルナット２６ａ、２６ｂを螺合させる。このダブルナット２６ａ、２６ｂをシャフト２４に螺合させることでコロ列１４を手すり案内デッキ６に対して仮付けすることができる。
【００３７】
そして、一方のダブルナット２６ａを締め込んでいくと、コロ列１４を少しずつ第２固定部２２の方に引き込むことができるので、コロ列１４は、手すりデッキ６の曲がりに倣わせるようにして簡単に手すりデッキ６に密着させることができる。
【００３８】
図５に示すように、隣合うリンク部材１８の連結部１８ａ、１８ｂ同士を連結するピン１９の直下にあたる位置において、連結部１８ａ、１８ｂに突起２８を設けることが好ましい。この突起２８が手すり案内デッキ６のコロ列取付部３０に当接し、この突起２８を支点にして連結部１８ａ、１８ｂが手すり案内デッキ６の曲率に合わせて曲がり、スムーズに密着させることができる。
【００３９】
こうして、コロ列１４が密着した後は、他方のダブルナット２６ｂを締め付ければ、コロ列１４の取付完了し、多数のコロ１５をコロ列１４として一度に簡単に取り付けることができ、また、いかなる長さにも簡単に対応可能である。
【００４０】
以上は、欄干端部の曲率部にコロ列１４を取り付ける場合であるが、欄干の直線部に取り付けるときも、全く同じようにして簡単に取り付けることができる。
【００４１】
次に、図３を参照しながら、本実施例による手すりベルト案内装置の作用効果について説明する。
【００４２】
手すりベルト案内装置の本来の作用効果、すなわち、コロ１５が走行する手すりベルト６に転がり接触することによって、手すりベルト４と手すり案内デッキ６との間の摩擦抵抗を低減する以外に、次のような作用効果が得られる。
【００４３】
第１に、手すり案内デッキ６の幅方向中央部が凸形状のころ列取付部３０で、その両側をコロ１５を受容可能な凹部３２ａ、３２ｂを配置しているため、一本のコロ軸１６の両端部にそれぞれコロ１５、１５を取り付けることができ、手すりベルト４の幅方向に２つのコロ１５、１５を配置できるため、手すりベルト４に均等にコロが当たる安定した構造となり、偏荷重等による偏磨耗を防止して手すりベルト４の寿命を伸ばすことが可能となる。
【００４４】
第２に、エスカレーターが屋外に設置されるような場合、手すりベルト４と手すり案内デッキ６の隙間から雨水が侵入することが考えられる。このとき、コロ１６を受容する凹部３２ａ、３２ｂは、雨水を排出する樋として機能するため、コロ１５に雨水が直接かかるのを防止することができるので、コロ１５の吸水による膨張の心配がない。
【００４５】
第２実施形態
次に、図６は、本発明の第２の実施形態による手すりベルト案内装置を示す断面図である。
【００４６】
この第２実施形態が図３と異なるのは、手すり案内デッキ６のコロ列取付部３０に帯状のゴム等からなる制振材３６を貼り付けることで、コロ列１４のリンク部材１８とコロ列取付部３０の間に制振材３６を介在させた点である。その他の構成要素は、同一であるので、図３と同じ構成要素には同一の参照符号を付して、その詳細な説明は省略する。
【００４７】
この第２実施形態によれば、手すりベルト４が走行するときに生じる振動が制振材３６に吸収されるので、手するベルト４の走行中の振動、騒音を低減することができる。
【００４８】
以上、本発明をエスカレーターに適用した実施形態を挙げて説明したが、本発明は、水平に乗客を搬送するマンコンベア用の欄干に設けられる手すりベルトの案内装置として適用できることはもちろんである。
【００４９】
【発明の効果】
以上の説明から明らかなように、本発明によれば、コロをユニット化して複数のコロを一度に簡便に取り付けることを可能となり、また、手すりベルトに対するコロの当たりが安定して、手すりベルトの寿命を大幅に伸ばすことができる。
【図面の簡単な説明】
【図１】本発明による手すりベルト案内装置が適用されるエスカレーターの欄干の説明図。
【図２】本発明の一実施形態による手すりベルト案内装置のコロ列を示す側面図。
【図３】同手すりベルト案内装置のコロ列を示す図で、図３（ａ）は平面図、図３（ｂ）は側面図。
【図４】図１のIV−IV断面図。
【図５】コロ列のベルト案内デッキへの取り付け状態を示す側面拡大図。
【図６】本発明の他の実施形態による手すりベルト案内装置を示す断面図。
【図７】従来の手すりベルト案内装置を示す断面図。
【図８】従来の手すりベルト案内装置をコロを示す図。
【符号の説明】
２  ガラスパネル
４  手すりベルト
６  手すり案内デッキ
１２  欄干端部の曲率部
１４  コロ列
１５  コロ
１６  コロ軸
１８  リンク部材
１９  ピン
２０  第１固定部
２２  第２固定部
３０  コロ列取付部
３２ａ、３２ｂ  凹部
３６  制振部材
【図１】
0004050541.tif 000002
【図２】
0004050541.tif 000003
【図３】
0004050541.tif 000004
【図４】
0004050541.tif 000005
【図５】
0004050541.tif 000006
【図６】
0004050541.tif 000007
【図７】
0004050541.tif 000008
【図８】
0004050541.tif 000009